(57)【要約】  【課題】  簡易な操作でユーザーの利用頻度の高い機能を呼び出すことができ、効率の良い利用が可能である携帯端末を提供する。  【解決手段】  筐体Ａ１と筐体Ｂ２を閉じた状態から開いた状態にしたときに動作させる機能を表示部６とキー操作部３を用いてユーザーが予め選択しておくと、実際に筐体Ａ１と筐体Ｂ２を閉じた状態から開いた状態にした時に、予め選択した機能が動作を開始し、該機能に応じた画面が表示部６に表示される。【選択図】      図１
2006042266.tif 000002
【特許請求の範囲】
【請求項１】
第一の筐体と、該第一の筐体に開閉自在に接続された第二の筐体と、前記第一の筐体と前記第二の筐体の開閉を検出する開閉検出手段と、画面を表示する表示手段とを備えた携帯端末において、
初期動作機能を選択する初期動作機能選択手段と、
前記第一の筐体と前記第二の筐体が閉じた状態から開いた状態になったことを前記開閉検出手段が検出すると、前記初期動作機能選択手段で予め選択された初期動作機能を動作させ、該初期動作機能に応じた画面を前記表示手段に表示させる制御手段と、を備えることを特徴とする携帯端末。
【請求項２】
前記表示手段に表示された前記初期動作機能の候補から前記初期動作機能を選択する操作を行う操作手段を備え、
前記初期動作機能選択手段は、前記操作手段からの操作信号に基づき前記初期動作機能を選択することを特徴とする請求項１に記載の携帯端末。
【請求項３】
前記第一の筐体と前記第二の筐体が開いた状態から閉じた状態になったことを前記開閉検出手段が検出すると、前記制御手段は前記動作させている初期動作機能を停止させることを特徴とする請求項１または請求項２に記載の携帯端末。
【請求項４】
通信部を備え、前記初期動作機能選択手段で選択される初期動作機能は、電話機能であることを特徴とする請求項１〜請求項３のいずれかに記載の携帯端末。
【請求項５】
通信部を備え、前記初期動作機能選択手段で選択される初期動作機能は、メール機能であることを特徴とする請求項１〜請求項３のいずれかに記載の携帯端末。
【請求項６】
通信部を備え、前記初期動作機能選択手段で選択される初期動作機能は、インターネット機能であることを特徴とする請求項１〜請求項３のいずれかに記載の携帯端末。
【請求項７】
利用者の予定内容を記憶する予定内容記憶手段を備え、前記初期動作機能選択手段で選択される初期動作機能は、予定表機能であることを特徴とする請求項１〜請求項３のいずれかに記載の携帯端末。
【請求項８】
カメラ部を備え、前記初期動作機能選択手段で選択される初期動作機能は、カメラ機能であることを特徴とする請求項１〜請求項３のいずれかに記載の携帯端末。
【請求項９】
テレビ受信部を備え、前記初期動作機能選択手段で選択される初期動作機能は、テレビ受信機能であることを特徴とする請求項１〜請求項３のいずれかに記載の携帯端末。
【請求項１０】
所定の電話番号を記憶する電話番号記憶手段を備え、前記電話機能は、前記電話番号記憶手段に記憶された所定の電話番号へ発呼を行う機能であることを特徴とする請求項４に記載の携帯端末。
【請求項１１】
所定のメールアドレスを記憶するメールアドレス記憶手段を備え、前記メール機能は、前記メールアドレス記憶手段に記憶された所定のメールアドレスへのメール作成機能であることを特徴とする請求項５に記載の携帯端末。
【請求項１２】
所定のインターネットアドレスを記憶するインターネットアドレス記憶手段を備え、前記インターネット機能は、前記インターネットアドレス記憶手段に記憶された所定のインターネットアドレスへアクセスを行う機能であることを特徴とする請求項６に記載の携帯端末。
【請求項１３】
タイマー部を備え、前記予定表機能は、前記タイマー部を用いて前記第一の筐体と前記第二の筐体が閉じた状態から開いた状態になった時点に最も近い予定内容を前記表示手段に表示する機能であることを特徴とする請求項７に記載の携帯端末。
【請求項１４】
前記電話機能は、前記所定の電話番号へ発呼を行う前に、発呼を行うか否かの確認をする機能であることを特徴とする請求項１０に記載の携帯端末。
【請求項１５】
前記インターネット機能は、前記所定のインターネットアドレスへアクセスを行う前に、アクセスするか否かの確認をする機能であることを特徴とする請求項１２に記載の携帯端末。
【請求項１６】
電話着信検出手段と記憶手段とを備え、前記制御手段が前記初期動作機能を動作中に前記電話着信検出手段が電話着信を検出すると、前記制御手段は動作させている前記初期動作機能を停止させ、前記初期動作機能の動作内容を前記記憶手段に記憶させ、その後、前記記憶手段に記憶された前記初期動作機能の動作内容に基づき前記初期動作機能を再び動作させることを特徴とする請求項１〜請求項１５のいずれかに記載の携帯端末。
【請求項１７】
前記第一の筐体と前記第二の筐体が閉じた状態から開いた状態になったことを前記開閉検出手段が検出し、前記制御手段が前記カメラ機能を動作開始させてから所定時間以内に前記制御手段が撮影実行操作を検出しなければ、前記制御手段は前記カメラ機能を停止させることを特徴とする請求項８に記載の携帯端末。
【請求項１８】
前記第一の筐体と前記第二の筐体が閉じた状態から開いた状態になったことを前記開閉検出手段が検出すると、前記制御手段は前記テレビ受信機能を所定時間動作させた後、前記テレビ受信機能を停止させることを特徴とする請求項９に記載の携帯端末。
【請求項１９】
前記制御手段が前記初期動作機能を動作中に、前記第一の筐体と前記第二の筐体が開いた状態で前記初期動作機能を停止させ、その後、前記制御手段が任意の機能を動作可能な状態になるような強制停止操作手段を備えることを特徴とする請求項１〜請求項１８のいずれかに記載の携帯端末。
【請求項２０】
第一の筐体と、該第一の筐体に開閉自在に接続された第二の筐体と、前記第一の筐体と前記第二の筐体の開閉を検出する開閉検出手段と、画面を表示する表示手段とを備える携帯端末を、
初期動作機能を選択する初期動作機能選択手段、
前記第一の筐体と前記第二の筐体が閉じた状態から開いた状態になったことを前記開閉検出手段が検出すると、前記初期動作機能選択手段で予め選択された初期動作機能を動作させ、該初期動作機能に応じた画面を前記表示手段に表示させる制御手段、
として機能させるためのプログラム。
【発明の詳細な説明】
【技術分野】
【０００１】
本発明は、折り畳み式携帯電話やPDA等の折り畳み構造を持つ携帯端末に関するものである。
【背景技術】
【０００２】
現在、携帯端末は多種に渡る機能が内蔵され、ユーザーは用途によりそれら機能を使い分けできる。例えば、折り畳み式携帯電話では、メール、インターネット、カメラ撮影等の機能を備えるが、閉じた状態から開いた状態にすると電話の待ち受け画面となるのが通常である。そして、メールやインターネット等の各種機能を呼び出そうとすると、上記待ち受け画面からインデックス画面を呼び出し、さらに各種機能のための画面を呼び出すという手間がかかっていた。
【０００３】
そこで、本体部に対して開閉自在なカバー部を持つ携帯電話において、前記カバー部の開閉検出手段の開閉検出結果によりインターネットへの自動アクセスおよびその切断を可能とする携帯電話が提案されている（特許文献１参照）。
【特許文献１】特開２００１−９４６３９号公報
【発明の開示】
【発明が解決しようとする課題】
【０００４】
上記の携帯電話は、携帯電話によるインターネットアクセス操作をそのカバー開閉により自動で行える点では便利であるが、あくまでも携帯電話の使用がほとんどインターネットに特定されるユーザー向けであり、それ以外の利用を主目的にするユーザーには逆に不便となってしまう。
【０００５】
上記問題点を鑑み、本発明は、簡易な操作でユーザーの利用頻度の高い機能を呼び出すことができ、効率の良い利用が可能である携帯端末を提供することを目的とする。
【課題を解決するための手段】
【０００６】
上記目的を達成するため、本発明の携帯端末は、第一の筐体と、該第一の筐体に開閉自在に接続された第二の筐体と、前記第一の筐体と前記第二の筐体の開閉を検出する開閉検出手段と、画面を表示する表示手段とを備えた携帯端末において、初期動作機能を選択する初期動作機能選択手段と、前記第一の筐体と前記第二の筐体が閉じた状態から開いた状態になったことを前記開閉検出手段が検出すると、前記初期動作機能選択手段で予め選択された初期動作機能を動作させ、該初期動作機能に応じた画面を前記表示手段に表示させる制御手段と、を備えることを特徴とする（以下、本構成を第１の構成と呼ぶ）。
【０００７】
このような構成によれば、ユーザーは利用頻度の高い機能を予め選択でき、選択した機能を携帯端末を開くという簡易な操作によって自動的に呼び出すことができ、ユーザーにとって効率の良い携帯端末の利用が可能となる。
【０００８】
また、本発明の携帯端末は、第１の構成の携帯端末において、前記表示手段に表示された前記初期動作機能の候補から前記初期動作機能を選択する操作を行う操作手段を備え、前記初期動作機能選択手段は、前記操作手段からの操作信号に基づき前記初期動作機能を選択することを特徴とする（以下、本構成を第２の構成と呼ぶ）。
【０００９】
このような構成によれば、ユーザーは利用頻度の高い機能を、画面表示という自由度の高いインターフェイスによって選択することができ、機能の動作モードを細かく設定することが容易である。
【００１０】
また、本発明の携帯端末は、第１の構成または第２の構成の携帯端末において、前記第一の筐体と前記第二の筐体が開いた状態から閉じた状態になったことを前記開閉検出手段が検出すると、前記制御手段は前記動作させている初期動作機能を停止させることを特徴とする（以下、本構成を第３の構成と呼ぶ）。
【００１１】
このような構成によれば、携帯端末を閉めるという簡易な操作によって選択した機能の動作を停止することができる。
【００１２】
また、本発明の携帯端末は、第１〜第３のいずれかの構成の携帯端末において、通信部を備え、前記初期動作機能選択手段で選択される初期動作機能は、電話機能であることを特徴とする（以下、本構成を第４の構成と呼ぶ）。
【００１３】
また、本発明の携帯端末は、第１〜第３のいずれかの構成の携帯端末において、通信部を備え、前記初期動作機能選択手段で選択される初期動作機能は、メール機能であることを特徴とする（以下、本構成を第５の構成と呼ぶ）。
【００１４】
また、本発明の携帯端末は、第１〜第３のいずれかの構成の携帯端末において、通信部を備え、前記初期動作機能選択手段で選択される初期動作機能は、インターネット機能であることを特徴とする（以下、本構成を第６の構成と呼ぶ）。
【００１５】
また、本発明の携帯端末は、第１〜第３のいずれかの構成の携帯端末において、利用者の予定内容を記憶する予定内容記憶手段を備え、前記初期動作機能選択手段で選択される初期動作機能は、予定表機能であることを特徴とする（以下、本構成を第７の構成と呼ぶ）。
【００１６】
また、本発明の携帯端末は、第１〜第３のいずれかの構成の携帯端末において、カメラ部を備え、前記初期動作機能選択手段で選択される初期動作機能は、カメラ機能であることを特徴とする（以下、本構成を第８の構成と呼ぶ）。
【００１７】
また、本発明の携帯端末は、第１〜第３のいずれかの構成の携帯端末において、テレビ受信部を備え、前記初期動作機能選択手段で選択される初期動作機能は、テレビ受信機能であることを特徴とする（以下、本構成を第９の構成と呼ぶ）。
【００１８】
このような構成によれば、電話機能、メール機能、インターネット機能、予定表機能、カメラ機能、テレビ受信機能それぞれの利用頻度が高いユーザーにとって利便性の高いものとなる。
【００１９】
また、本発明の携帯端末は、第４の構成の携帯端末において、所定の電話番号を記憶する電話番号記憶手段を備え、前記電話機能は、前記電話番号記憶手段に記憶された所定の電話番号へ発呼を行う機能であることを特徴とする（以下、本構成を第１０の構成と呼ぶ）。
【００２０】
このような構成によれば、ユーザーは携帯端末を開くだけで、希望の相手との通話が可能となり、電話番号の入力や回線接続操作の煩わしい手間が必要ない。
【００２１】
また、本発明の携帯端末は、第５の構成の携帯端末において、所定のメールアドレスを記憶するメールアドレス記憶手段を備え、前記メール機能は、前記メールアドレス記憶手段に記憶された所定のメールアドレスへのメール作成機能であることを特徴とする（以下、本構成を第１１の構成と呼ぶ）。
【００２２】
このような構成によれば、ユーザーは携帯端末を開くだけで、直ちに希望の相手へのメール文作成を開始でき、従来のインデックス画面やメール専用ボタンによるメールモードの呼び出しや、メールアドレスの入力といったメール送信までの煩わしい手間が必要ない。
【００２３】
また、本発明の携帯端末は、第６の構成の携帯端末において、所定のインターネットアドレスを記憶するインターネットアドレス記憶手段を備え、前記インターネット機能は、前記インターネットアドレス記憶手段に記憶された所定のインターネットアドレスへアクセスを行う機能であることを特徴とする（以下、本構成を第１２の構成と呼ぶ）。
【００２４】
このような構成によれば、ユーザーは携帯端末を開くだけで、希望のインターネットサイトへアクセスすることができ、従来のインデックス画面からのインターネットモードの呼び出しや、インターネットアドレスの入力といったアクセスまでの煩わしい手間が必要ない。
【００２５】
また、本発明の携帯端末は、第７の構成の携帯端末において、タイマー部を備え、前記予定表機能は、前記タイマー部を用いて前記第一の筐体と前記第二の筐体が閉じた状態から開いた状態になった時点に最も近い予定内容を前記表示手段に表示する機能であることを特徴とする（以下、本構成を第１３の構成と呼ぶ）。
【００２６】
このような構成によれば、ユーザーは携帯端末を開くだけで、現在真に必要である直近の予定を確認することができ、入力された予定すべての一覧表から必要な予定を探し出す面倒な手間が省ける。
【００２７】
また、本発明の携帯端末は、第１０の構成の携帯端末において、前記電話機能は、前記所定の電話番号へ発呼を行う前に、発呼を行うか否かの確認をする機能であることを特徴とする（以下、本構成を第１４の構成と呼ぶ）。
【００２８】
このような構成によれば、例えば鞄の中で携帯端末が開いてしまった場合や、幼児がいたずらで携帯端末を開けた場合でも、自動的に回線が接続され電話料金が発生してしまうことを防げ、電話する相手への間違い電話による迷惑も防げる。
【００２９】
また、本発明の携帯端末は、第１２の構成の携帯端末において、前記インターネット機能は、前記所定のインターネットアドレスへアクセスを行う前に、アクセスするか否かの確認をする機能であることを特徴とする（以下、本構成を第１５の構成と呼ぶ）。
【００３０】
このような構成によれば、例えば鞄の中で携帯端末が開いてしまった場合や、幼児がいたずらで携帯端末を開けた場合でも、サーバーへ自動にアクセスされ、課金が開始され膨大なアクセス料金が発生してしまうことを防げる。
【００３１】
また、本発明の携帯端末は、第１〜第１５のいずれかの構成の携帯端末において、電話着信検出手段と記憶手段とを備え、前記制御手段が前記初期動作機能を動作中に前記電話着信検出手段が電話着信を検出すると、前記制御手段は動作させている前記初期動作機能を停止させ、前記初期動作機能の動作内容を前記記憶手段に記憶させ、その後、前記記憶手段に記憶された前記初期動作機能の動作内容に基づき前記初期動作機能を再び動作させることを特徴とする（以下、本構成を第１６の構成と呼ぶ）。
【００３２】
このような構成によれば、携帯端末を開いて選択した機能が動作中に電話着信があり、着信対応して通話をした場合でも、通話後に先に動作していた機能を復帰させることができ、ユーザーは着信前に動作していた機能を引き続き利用できる。
【００３３】
また、本発明の携帯端末は、第８の構成の携帯端末において、前記第一の筐体と前記第二の筐体が閉じた状態から開いた状態になったことを前記開閉検出手段が検出し、前記制御手段が前記カメラ機能を動作開始させてから所定時間以内に前記制御手段が撮影実行操作を検出しなければ、前記制御手段は前記カメラ機能を停止させることを特徴とする（以下、本構成を第１７の構成と呼ぶ）。
【００３４】
このような構成によれば、特にバッテリー消費の大きな機能であるカメラ機能の無用な動作によるバッテリー消費を防げる。
【００３５】
また、本発明の携帯端末は、第９の構成の携帯端末において、前記第一の筐体と前記第二の筐体が閉じた状態から開いた状態になったことを前記開閉検出手段が検出すると、前記制御手段は前記テレビ受信機能を所定時間動作させた後、前記テレビ受信機能を停止させることを特徴とする。
【００３６】
このような構成によれば、特にバッテリー消費の大きな機能であるテレビ受信機能の無用な動作によるバッテリー消費を防げる（以下、本構成を第１８の構成と呼ぶ）。
【００３７】
また、本発明の携帯端末は、第１〜第１８のいずれかの構成の携帯端末において、前記制御手段が前記初期動作機能を動作中に、前記第一の筐体と前記第二の筐体が開いた状態で前記初期動作機能を停止させ、その後、前記制御手段が任意の機能を動作可能な状態になるような強制停止操作手段を備えることを特徴とする。
【００３８】
このような構成によれば、携帯端末を開いて予め選択した機能が動作したが、ユーザーが別の機能を動作させたい場合に便利である。
【００３９】
また、本発明のプログラムは、第一の筐体と、該第一の筐体に開閉自在に接続された第二の筐体と、前記第一の筐体と前記第二の筐体の開閉を検出する開閉検出手段と、画面を表示する表示手段とを備える携帯端末を、初期動作機能を選択する初期動作機能選択手段、前記第一の筐体と前記第二の筐体が閉じた状態から開いた状態になったことを前記開閉検出手段が検出すると、前記初期動作機能選択手段で予め選択された初期動作機能を動作させ、該初期動作機能に応じた画面を前記表示手段に表示させる制御手段、として機能させることを特徴とする。
【００４０】
このようなプログラムによれば、前述した第１の構成の携帯端末の効果を得ることができる。
【発明の効果】
【００４１】
本発明の携帯端末によれば、簡易な操作でユーザーの利用頻度の高い機能を呼び出すことができ、効率の良い利用が可能となる。
【発明を実施するための最良の形態】
【００４２】
以下、折り畳み式携帯電話を例として本発明の実施形態を説明する。
【００４３】
図１に、本発明の折り畳み式携帯電話を開いた状態の外観図を示す。本発明の折り畳み式携帯電話は筐体Ａ１と筐体Ｂ２からなり、筐体Ａ１と筐体Ｂ２は勘合部５で結合され、折り畳み可能となっている。筐体Ａ１は、各種画面を表示する表示部６と、通話時に音声を聞き取るためのイヤピース７と、通信用およびテレビ受信用のアンテナ８とを備える。筐体Ｂ２は、キー操作部３と、通話時に相手に音声を伝えるためのマイク４とを備える。キー操作部３には各種ボタンがあり、例えば、送信ボタン３Ａ、終話ボタン３Ｂ、Fボタン３Ｃがある。
【００４４】
また、図２に、本発明の折り畳み式携帯電話の基本機能ブロック図を示す。以下、図１、図２の各構成部に基づいて、本発明の実施形態を説明する。
【００４５】
なお、以下で説明する実施形態の処理動作は、ＲＯＭ２３（図２）に記憶された制御プログラムを制御部１１（図２）が実行することで実現される。
【００４６】
まず、折り畳み式携帯電話を開いたときに動作させる機能（以下、初期動作機能と呼ぶ）を予め選択する方法について説明する。初期動作機能の選択は、表示部６に表示される画面を確認しながら、ユーザーがキー操作部３の操作により行う。
【００４７】
図３に、初期動作機能を選択する画面を呼び出すまでの画面移行例を示す。まず、ユーザーがFボタン３Cを押すことで、制御部１１はインデックス画面３０１を表示部６に表示する。ユーザーがインデックス画面３０１で「７．設定」を選択すると、制御部１１は設定画面３０２を表示部６に表示する。ユーザーが設定画面３０２で「３．ユーザー選択」を選択すると、制御部１１はユーザー選択画面３０３を表示部６に表示する。ユーザーがユーザー選択画面３０３で「４．初期画面設定」を選択すると、制御部１１は初期画面設定画面３０４を表示部６に表示する。この画面でユーザーは各種初期動作機能を選択することができる。
【００４８】
図４に、初期動作機能として電話機能を選択する場合の画面移行例を示す。ユーザーが初期画面設定画面３０４（図３）で「１．電話」を選択すると、制御部１１は電話画面４０１を表示部６に表示する。電話画面４０１では、「１．発呼モード」と「２．指定番号アクセスモード」を選択可能である。「１．発呼モード」は、折り畳み式携帯電話を開くと、従来のように待ち受け画面が表示されるモードである。「２．指定番号アクセスモード」は、折り畳み式携帯電話を開くと、ユーザーが指定した電話番号に発呼するモードである。
【００４９】
「２．指定番号アクセスモード」を選択した場合について説明する。ユーザーが電話画面４０１で「２．指定番号アクセスモード」を選択すると、制御部１１は指定番号設定画面４０２を表示部６に表示する。ここでユーザーが「１．直接入力」を選択すると、ユーザーがキー操作部３を用いて電話番号を直接入力する画面を制御部１１は表示部６に表示し、折り畳み式携帯電話を開いたときに通話したい相手の電話番号を指定できる。また、ユーザーが「２．電話帳検索」を選択すると、制御部１１は電話帳検索画面４０３を表示部６に表示し、記憶部１３に記憶されている電話帳の内容を表示する。例えばここで、「１．お母さん」を選択すると制御部１１は確認画面４０４を表示部６に表示し、ここでユーザーが「決定」を選択すると、「お母さん」の電話番号が指定された電話番号となる。
【００５０】
また、ユーザーが初期画面設定画面３０４（図３）で「２．メール」を選択すると、折り畳み式携帯電話を開いたときに、指定したメールアドレスへのメール本文を作成できる機能を動作させるよう設定できる。メールアドレスの指定は、前述の電話機能と同様に、直接アドレス入力による指定と、記憶部１３に記憶されているアドレス帳からの検索による指定とから選択できる。
【００５１】
また、ユーザーが初期画面設定画面３０４（図３）で「３．ウェブ」を選択すると、折り畳み式携帯電話を開いたときに、指定したインターネットアドレスのサイトへアクセスする機能を動作させるよう設定できる。インターネットアドレスの指定は、前述の電話機能と同様に、直接アドレス入力による指定と、記憶部１３に記憶されているアドレス帳からの検索による指定とから選択できる。
【００５２】
また、ユーザーが初期画面設定画面３０４（図３）で「４．予定表」を選択すると、折り畳み式携帯電話を開いたときに、予めユーザーがキー操作部３を用いて入力し、記憶部１３に記憶されているユーザーの予定内容（例えば、会議の予定であれば、会議開催日時、会議内容等）を表示部６に表示する機能を動作させるよう設定できる。
【００５３】
また、ユーザーが初期画面設定画面３０４（図３）で「５．カメラ」を選択すると、折り畳み式携帯電話を開いたときに、カメラ撮影が可能であるカメラモードを動作させるよう設定できる。
【００５４】
また、ユーザーが初期画面設定画面３０４（図３）で「６．ＴＶ」を選択すると、折り畳み式携帯電話を開いたときに、テレビ視聴が可能であるテレビモードを動作させるよう設定できる。
【００５５】
以上の初期動作機能の設定結果（指定された電話番号、メールアドレス、インターネットアドレスを含む）は、制御部１１が記憶部１３に記憶させる。
【００５６】
次に、ユーザーが折り畳み式携帯電話を開いた場合について以下、図５の動作フロー図をもとに説明する。
【００５７】
携帯電話が閉じた状態で電話の待ち受け状態のときに、ユーザーが携帯電話を開けると、開閉検出部１７が携帯電話が開かれたことを検出する（ステップＳ１０のＹ）。開閉検出部１７としては、例えば、機械式スイッチ方式、ホール素子を利用したもの、リードスイッチを利用したものが一般的である。
【００５８】
次にステップＳ２０で、制御部１１は記憶部１３を読みに行き、初期動作機能の設定がされているか否かを判断する。もし、初期動作機能の設定がされていない場合（ステップＳ２０のＮ）は、制御部１１は電話待ち受けモードに移行し、待ち受け画面を表示部６に表示する（ステップＳ３０）。待ち受け画面では、ユーザーがＦボタン３Ｃを押すと、制御部１１はインデックス画面３０１（図３）を表示部６に表示し、ユーザーは希望の機能を選択して動作させることができる。また待ち受け画面では、ユーザーがキー操作部３によって電話番号や電話番号に対応した短縮番号を入力し、送信ボタン３Ａを押して発呼を開始することもできる。
【００５９】
一方、初期動作機能の設定がされている場合（ステップＳ２０のＹ）は、ステップＳ４０で、制御部１１はどの機能が設定されているか判断する。
【００６０】
もし、ユーザーが初期画面設定画面３０４（図３）で「１．電話」を選択し、前述した指定した相手への電話機能が設定されている場合は、ステップＳ５０で、制御部１１は指定された電話番号を記憶部１３から読み出し、表示部６に指定された電話番号の呼び出しを示す呼び出し画面６０１（図６）を表示し、発呼を開始する。制御部１１は無線通信部９を用いて、無線回線および基地局側の通信回線品質をチェックし、問題がなければ（ステップＳ６０のＹ）、相手側を呼び出し、回線を接続し、通話が開始される（ステップＳ７０）。通話中は、携帯電話用アンテナ８Ａで受信した電波は無線通信部９で復調され、音声処理部１０で音声に変換され、イヤピース７で相手側の音声を聞ける。また通話中は、マイク４から入力された音声は音声処理部１０でデジタル処理され、無線通信部９で変調され、携帯電話用アンテナ８Ａから電波として相手側に発信される。もし、回線に問題があれば（ステップＳ６０のＮ）、制御部１１は電話待ち受けモードに移行し、待ち受け画面を表示部６に表示する（ステップＳ３０）。
【００６１】
ここでは、携帯電話が開けられると自動的に指定された電話番号へ発呼を開始するようにしたが、発呼を開始する前に制御部１１が、発呼をするか否かの決定をユーザーに要求する画面を表示部６に表示するようにして、ユーザーに発呼をするか否かの決定を要求するようにしてもよい。この場合、ここでユーザーが発呼をする決定をして初めて制御部１１が発呼を開始する。
【００６２】
次にもし、ユーザーが初期画面設定画面３０４（図３）で「３．ウェブ」を選択している場合は、ステップＳ８０で、制御部１１は指定されたインターネットアドレスを記憶部１３から読み出し、表示部６に指定されたインターネットアドレスが表示されたアクセス確認画面６０２（図６）を表示し、指定されたインターネットアドレスへのアクセスをするか否かの決定をユーザーに要求する。ここでユーザーがＦボタン３Ｃを押してアクセスすることを決定すると（ステップＳ９０のＹ）、制御部１１は無線通信部９を用いて、無線回線および基地局側の通信回線品質をチェックし、問題がなければ（ステップＳ１００のＹ）、接続を開始し、表示部６に接続結果を表示する（ステップＳ１１０）。もしユーザーがアクセスをしない決定をしたり（ステップＳ９０のＮ）、回線に問題があれば（ステップＳ１００のＮ）、制御部１１は電話待ち受けモードに移行し、待ち受け画面を表示部６に表示する（ステップＳ３０）。
【００６３】
ここでは、指定されたインターネットサイトへアクセスする前にユーザーにアクセスするか否かの決定を要求するようにしたが、携帯電話が開けられると制御部１１が自動的に指定されたインターネットサイトへアクセスするようにしてもよい。その場合は、指定されたインターネットサイトへアクセス中であることを示す画面を表示部６に制御部１１が表示するようにすればよい。
【００６４】
次にもし、ユーザーが初期画面設定画面３０４（図３）で「２．メール」を選択している場合は、ステップＳ１２０で、制御部１１は指定されたメールアドレスを記憶部１３から読み出し、表示部６に指定されたメール送信先が表示されたメール作成画面６０３（図６）を表示する。この画面でユーザーはキー操作部３を用いてメールの本文を入力できる。メール文が作成完了すれば、ユーザーが送信ボタン３Ａを押すだけでメール送信される。
【００６５】
次にもし、ユーザーが初期画面設定画面３０４（図３）で「４．予定表」を選択している場合は、ステップＳ１３０で、制御部１１は記憶部１３に記憶された予定内容を読み出し、タイマー部１４で検出した現在時刻との比較を行い、現在時刻に最も近い時刻の予定内容を表示部６に表示する。例えば、その日に３つの会議が予定されており、携帯電話が開かれた時刻が２つ目の会議の前であり、１つ目の会議の後であれば、２つ目の会議予定が表示部６に表示される。
【００６６】
次にもし、ユーザーが初期画面設定画面３０４（図３）で「５．カメラ」を選択している場合は、ステップＳ１４０で、制御部１１はカメラセンサ２２、カメラ部２１からの画像を表示部６に表示するカメラモードに移行する。ここでユーザーがキー操作部３のシャッターボタンを押せば、画像が撮影される。ただし、携帯電話を開いた時点でタイマー部１４がカウントを始めており、予め設定している時間以内にシャッターボタンが押されなければ、制御部１１はカメラモードを終了し、電話待ち受けモードに移行し、待ち受け画面を表示部６に表示する。
【００６７】
次にもし、ユーザーが初期画面設定画面３０４（図３）で「６．ＴＶ」を選択している場合は、ステップＳ１５０で、制御部１１は、ＴＶ用アンテナ８ＢとＴＶ受信部１２を介して受信したテレビ放送画像を表示部６に表示するテレビモードに移行する。ただし、携帯電話を開いた時点でタイマー部１４がカウントを始めており、予め設定している時間（例えば、３０分や１時間）が経過した時点で、制御部１１はテレビモードを終了し、電話待ち受けモードに移行し、待ち受け画面を表示部６に表示する。
【００６８】
以上が携帯電話を開いた場合の予め選択された各初期動作機能の動作であるが、もし各初期動作機能の動作中に着信があった場合について説明する。各初期動作機能の動作中に無線通信部９が着信を検出すると、制御部１１は現在動作中の機能を一旦中断し、機能の動作内容を記憶部１３に記憶させる。例えば、メール作成機能であれば、作成中の文章等を記憶部１３に記憶させる。そして、制御部１１は表示部６に着信があったことを知らせる画面を表示し、報知部１８を介してリンガー部１９やバイブレータ２０を使ってユーザーに着信を知らせる。ユーザーは、送信ボタン３Ａを押して着信対応し通話を開始することや、終話ボタン３Ｂを押して着信を放棄することも可能である。そして、通話終了後または着信放棄後、ユーザーが予め設定したモードにより、制御部１１は先に記憶部１３に記憶させた初期動作機能の動作内容を読み出し初期動作機能の復帰を行うか、または電話待ち受けモードに移行する。初期動作機能が復帰する場合は、例えば上記のメール作成機能であれば、着信前に作成していたメール文の続きからメール文を作成できる。また、モード設定については例えば、初期動作機能がカメラ機能であれば、図７のように、初期画面設定画面３０４で「５．カメラ」を選択後表示される着信時設定画面７０１で、着信後にカメラモードに復帰するか、電話待ち受けモードに移行するかを予めユーザーが設定する。
【００６９】
次にもし、携帯電話を開いて各初期動作機能が動作中に、携帯電話がユーザーによって閉められて、開閉検出部１７が携帯電話が閉められたことを検出すると、制御部１１は動作中の機能を停止して、電話待ち受けモードに移行する。
【００７０】
またもし、携帯電話を開いて各初期動作機能が動作中に、キー操作部３の終話ボタン３Ｂがユーザーによって押されると、制御部１１は動作中の機能を強制停止して、電話待ち受けモードに移行し、インデックス画面３０１を表示部６に表示する。インデックス画面３０１でユーザーは任意の機能を選択し、任意の機能を動作させることができる。なお、動作中の初期動作機能を強制停止させる操作部は、キー操作部３のうち終話ボタン３Ｂに限らなくてもよく、またキー操作部３以外の操作部でもよい。
【００７１】
なお、以上の実施形態は折り畳み式の携帯電話であるが、他の折り畳み構造を持つ携帯通信機器でも同様の実施形態をとることができる。また、PDA等の折り畳み構造を持つ携帯情報機器でも同様の実施形態をとることができる。
【図面の簡単な説明】
【００７２】
【図１】は、本発明の折り畳み式携帯電話の外観図である。
【図２】は、本発明の折り畳み式携帯電話の基本機能ブロック図である。
【図３】は、初期動作機能選択画面を呼び出すまでの画面移行例を示す図である。
【図４】は、初期動作機能として電話機能を選択する場合の画面移行例を示す図である。
【図５】は、折り畳み式携帯電話が開かれた場合の動作フローを示す図である。
【図６】は、折り畳み式携帯電話が開かれた場合の初期表示画面例を示す図である。
【図７】は、着信時設定をする場合の画面移行例を示す図である。
【符号の説明】
【００７３】
１    筐体Ａ
２    筐体Ｂ
３    キー操作部
３Ａ    送信ボタン
３Ｂ    終話ボタン
３Ｃ    Ｆボタン
４    マイク
５    勘合部
６    表示部
７    イヤピース
８    アンテナ
８Ａ    携帯電話用アンテナ
８Ｂ    ＴＶ用アンテナ
９    無線通信部
１０    音声処理部
１１    制御部
１２    ＴＶ受信部
１３    記憶部
１４    タイマー部
１５    電源部
１６    電池
１７    開閉検出部
１８    報知部
１９    リンガー部
２０    バイブレータ
２１    カメラ部
２２    カメラセンサー
２３    ＲＯＭ
３０１    インデックス画面
３０２    設定画面
３０３    ユーザー選択画面
３０４    初期画面設定画面
４０１    電話画面
４０２    指定番号設定画面
４０３    電話帳検索画面
４０４    確認画面
６０１    呼び出し画面
６０２    アクセス確認画面
６０３    メール作成画面
７０１    着信時設定画面
【図１】
2006042266.tif 000003
【図２】
2006042266.tif 000004
【図３】
2006042266.tif 000005
【図４】
2006042266.tif 000006
【図５】
2006042266.tif 000007
【図６】
2006042266.tif 000008
【図７】
2006042266.tif 000009